(57)【要約】【課題】放熱性に優れ、光源の発光効率や光反射効率の低下により液晶表示パネルの輝度低下を招く恐れがなく、部品点数や組立工数の増加もない液晶モジュールを提供する。【解決手段】フレーム１の内部に光源３を設け、光源３の前方に少なくとも液晶表示パネル６を配置してフレーム１の前面開口部に取り付けると共に、光源３の後方に光反射シート２を設けた液晶モジュールにおいて、フレームの後壁１ａに放熱換気用の貫通穴１ｃを形成し、光反射シート２を、フレームの側壁１ｄとの間に小間隙１０が形成されるように、且つ、フレームの後壁１ｄとの間に通気空間９が形成されるように設ける。光源３の熱で昇温した熱気を小間隙１０と通気空間９を通じて貫通穴１ｃから放出させて放熱性を高め、光源３の昇温に伴う発光効率の低下を防止して液晶表示パネル６の輝度低下を防止する。【選択図】図４
2008209551.tif 000002
【特許請求の範囲】
【請求項１】
フレームの内部に光源として冷陰極管を設け、冷陰極管の前方に少なくとも液晶表示パネルを配置してフレームの前面開口部に取り付けると共に、冷陰極管の後方に光反射シートを設けた液晶モジュールにおいて、
上記フレームの後壁の少なくとも上下両端近傍箇所に放熱換気用の貫通穴を形成する一方、上記フレームの後壁に前方へ突き出す複数の凸部を千鳥状又は縦横に配列形成し、上記光反射シートを上記凸部に貼着して、上記光反射シートと上記フレームの側壁との間に小間隙を形成すると共に、上記光反射シートと上記フレームの後壁との間に通気空間を形成したことを特徴とする液晶モジュール。
【請求項２】
フレームの内部に光源を設け、光源の前方に少なくとも液晶表示パネルを配置してフレームの前面開口部に取り付けると共に、光源の後方に光反射シートを設けた液晶モジュールにおいて、
上記フレームの後壁に放熱換気用の貫通穴を形成し、上記光反射シートを、上記フレームの側壁との間に小間隙が形成されるように、且つ、上記フレームの後壁との間に通気空間が形成されるように設けたことを特徴とする液晶モジュール。
【請求項３】
上記フレームの後壁の少なくとも上部に上記放熱換気用の貫通穴を形成したことを特徴とする請求項２に記載の液晶モジュール。
【請求項４】
上記フレームの後壁に前方へ突き出す複数の凸部を形成し、これらの凸部に上記光反射シートを貼着したことを特徴とする請求項２又は請求項３に記載の液晶モジュール。
【請求項５】
上記フレームの後壁に上記凸部を千鳥状又は縦横に配列形成したことを特徴とする請求項４に記載の液晶モジュール。
【請求項６】
上記光反射シートの四周に、上記フレームの四周の側壁に沿って前方へ折れ曲がる光反射側縁部を形成したことを特徴とする請求項１ないし請求項５のいずれかに記載の液晶モジュール。
【発明の詳細な説明】
【技術分野】
【０００１】
本発明は、テレビ、パーソナルコンピュータ、カーナビゲーションなどの電子機器に組み込まれる液晶モジュールに関し、特に、放熱性を高めて液晶モジュールのフレーム内部の温度上昇を抑え、冷陰極管などの光源の発光効率が低下しないように改良した液晶モジュールに関する。
【背景技術】
【０００２】
従来のテレビなどに組み込まれる直下バックライト方式の液晶モジュールは、フレームの内部に光源として冷陰極管を設け、冷陰極管の前方に少なくとも液晶表示パネルを配置してフレームの前面開口部に取り付けると共に、冷陰極管の後方に光反射シートを設けた構造となっている。
【０００３】
このような液晶モジュールでは、冷陰極管の光がなるべく外部へ漏れないように密閉性を高めているため、冷陰極管の発する熱がフレーム内にこもって内部温度が上昇し、冷陰極管の発光効率が低下して液晶表示パネルの明るさ（輝度）を保つことが困難になるという問題があった。
【０００４】
一方、液晶表示パネルを前面開口部に取り付けたフレームの内部に複数の光源を設け、光源とフレームの後壁との間に光反射部材を設けた液晶表示装置において、光反射部材の光源の真後ろとなる位置に開口部を設け、光源の発熱による発光効率の低下を防止するように図ったものが知られている（特許文献１）。
【０００５】
また、サイドエッジ方式のバックライトユニットを備えた液晶表示装置において、バックライトユニットの導光板側部の冷陰極蛍光灯を覆う反射板を兼ねたカバーに放熱用スリットを形成したもの（特許文献２）や、バックライトユニットのリフレクタの端部を延長して放熱部を形成したもの（特許文献３）や、バックライトユニットの導光板裏面の反射シートの裏面からリフレクタの側面まで至る放熱板を設けたもの（特許文献４）なども知られている。
【特許文献１】特開２００２−１９６３２６号公報
【特許文献２】特開平６−２７４６４号公報
【特許文献３】特開２００５−４３８１１号公報
【特許文献４】特開２００３−１１４４３１号公報
【発明の開示】
【発明が解決しようとする課題】
【０００６】
しかしながら、特許文献１の液晶表示装置では、光源で発生した熱が光反射部材の開口部を通してフレームの後壁に伝わり、このフレーム後壁から放熱されるというものの、フレーム内部の熱気が外部の空気と換気されるわけではなく、フレーム内部にこもったままであるので、あまり大きい放熱効果は期待できない。しかも、この特許文献１の液晶表示装置のように光反射部材に開口部を形成すると、光反射効率が低下するため、液晶表示パネルの輝度低下を招く恐れもある。
【０００７】
また、特許文献２の液晶表示装置のように、サイドエッジ方式のバックライトユニットの冷陰極蛍光灯を覆う反射板を兼ねたカバーに放熱用スリットを形成したものは、カバー内部の熱気をカバーの外側に放出できるが、放熱用スリットの形成によって光反射効率が低下するため、特許文献１の液晶表示装置の場合と同様に、液晶表示パネルの輝度低下を招く恐れがある。
【０００８】
そして、特許文献３の液晶表示装置のように、サイドエッジ方式のバックライトユニットのリフレクタの端部を延長して放熱部を形成したものは、放熱面積の増加があまり大きくなく、リフレクタ内部の熱気も放出され難いので、放熱効果の大幅な向上を期待することはできない。
【０００９】
また、特許文献４の液晶表示装置のように、導光板裏面の反射シートの裏面からリフレクタの側面まで至る放熱板を設けたものは、リフレクタ内部の熱気が放出され難いというものの、放熱板の放熱面積が大きいため、ある程度の放熱効果を期待することはできる。けれども、そのような大きい放熱板を設けると、部品点数や組立工数が増加するため、経済面及び製造面で不利になるという問題がある。
【００１０】
本発明は上記事情の下になされたもので、その解決しようとする課題は、放熱性に優れ、光源の発光効率や光反射効率の低下により液晶表示パネルの輝度低下を招く恐れがなく、部品点数や組立工数の増加もない液晶モジュールを提供することにある。
【課題を解決するための手段】
【００１１】
上記の課題を解決するため、本発明に係る液晶モジュールは、フレームの内部に光源を設け、光源の前方に少なくとも液晶表示パネルを配置してフレームの前面開口部に取り付けると共に、光源の後方に光反射シートを設けた液晶モジュールにおいて、上記フレームの後壁に放熱換気用の貫通穴を形成し、上記光反射シートを、上記フレームの側壁との間に小間隙が形成されるように、且つ、上記フレームの後壁との間に通気空間が形成されるように設けたことを特徴とするものである。
【００１２】
本発明の液晶モジュールにおいては、フレームの後壁の少なくとも上部に放熱換気用の貫通穴を形成することが好ましい。そして、フレームの後壁に前方へ突き出す複数の凸部を形成し、これらの凸部に光反射シートを貼着することが好ましく、これらの凸部は千鳥状又は縦横に配列形成することが好ましい。また、光反射シートの四周に、フレームの四周の側壁に沿って前方へ折れ曲がる光反射側縁部を形成することも好ましい。
【００１３】
そして、本発明の更に具体的な好ましい液晶モジュールは、フレームの内部に光源として冷陰極管を設け、冷陰極管の前方に少なくとも液晶表示パネルを配置してフレームの前面開口部に取り付けると共に、冷陰極管の後方に光反射シートを設けた液晶モジュールにおいて、フレームの後壁の少なくとも上下両端近傍箇所に放熱換気用の貫通穴を形成する一方、フレームの後壁に前方へ突き出す複数の凸部を千鳥状又は縦横に配列形成し、光反射シートをこれらの凸部に貼着して、光反射シートとフレームの側壁との間に小間隙を形成すると共に、光反射シートとフレームの後壁との間に通気空間を形成したことを特徴とするものである。
【発明の効果】
【００１４】
本発明の液晶モジュールでは、光源の発熱により昇温したフレーム内部の熱気が、光反射シートとフレーム側壁との間に形成された小間隙から、光反射シートとフレーム後壁との間に形成された通気空間を通って、フレーム後壁に形成された放熱換気用の貫通穴から放出される一方、外気が貫通穴から通気空間と小間隙を通ってフレーム内部に流入し、フレーム内部が換気される。このように、本発明の液晶モジュールはフレーム内部の熱気が放出されて外気と換気されるため、放熱効果が顕著であり、冷陰極管などの光源の昇温に伴う発光効率の低下を充分防止することができる。しかも、本発明の液晶モジュールは、光反射シートに放熱用の開口部やスリットを一切形成していないため、光反射効率の低下を防止することもできる。従って、本発明の液晶モジュールは、発光効率や光反射効率の低下に起因する液晶表示パネルの輝度（明るさ）の低下を確実に防止することができる。また、本発明の液晶モジュールは、大面積の放熱板などの他の部品を追加するものではないから、部品点数や組立工数の増加が一切なく、製造面及び経済面で有利である。
【００１５】
本発明の液晶モジュールにおいて、フレームの後壁の少なくとも上部に放熱換気用の貫通穴を形成したものは、光源により加熱されて上昇したフレーム内部の空気がフレーム後壁の上部の貫通穴からすみやかに放出されるので、放熱効率が顕著に向上する利点がある。
【００１６】
また、本発明の液晶モジュールにおいて、フレームの後壁に前方へ突き出す複数の凸部を形成し、これらの凸部に光反射シートを貼着したものは、光反射シートとフレームの後壁との間に、連続した通気空間を簡単かつ確実に形成することができ、更に、これらの凸部を千鳥状又は縦横に配列形成したものは、光反射シートをこれらの凸部で均等に支持させて平坦な状態で貼着できるため、光反射シートにたわみや皺が生じるのを防止することができる。
【００１７】
また、本発明の液晶モジュールにおいて、光反射シートの四周に、フレームの四周の側壁に沿って前方へ折れ曲がる光反射側縁部を形成したものは、光反射シートとフレームの側壁との間の小間隙から光反射シートの裏側へ照射されようとする光を光反射側縁部で反射して、液晶表示パネルの背後からの照明に有効利用できるので、液晶表示パネルの明るさ（輝度）の低下を充分防止することができる。
【００１８】
そして、本発明の更に具体的な好ましい液晶モジュールのように、フレームの後壁の少なくとも上下両端近傍箇所に放熱換気用の貫通穴を形成したものは、光源により加熱されて上昇したフレーム内部の熱気がフレーム後壁の上端近傍箇所の貫通穴から放出され、冷たい外気がフレーム後壁の下端近傍箇所の貫通穴から流入して、フレーム内部に気流（主に上昇気流）が発生するため、放熱効果がより一層顕著になる利点がある。
【発明を実施するための最良の形態】
【００１９】
以下、図面を参照して本発明の具体的な実施形態を詳述する。
【００２０】
図１は本発明の一実施形態に係る液晶モジュールの正面図、図２は同液晶モジュールの右側面図、図３は同液晶モジュールの分解斜視図、図４は同液晶モジュールの断面図である。
【００２１】
この液晶モジュールは、図３に示すように、フレーム１、光反射シート２、冷陰極管３、光拡散板４、光拡散シート５、液晶表示パネル６、ベゼル７などの主要部品から構成されるもので、フレーム１の背面には電磁波シールド板８が取り付けられるようになっている。
【００２２】
フレーム１は、白色顔料を含む合成樹脂で射出成形された光反射性フレームであって、図２，図３に示すように、前面が開口した浅い箱形に成形されており、このフレーム１の後壁１ａには、前方へ突き出す円形の凸部１ｂが縦横に配列されて形成されている。そして、このクレーム後壁１ａの上下両端近傍箇所には、放熱換気用の円形の貫通穴１ｃが上記凸部１ｂの相互間に位置して複数形成されている。
【００２３】
図４に示すように、フレーム後壁１ａの凸部１ｂには光反射シート２が貼着されており、この光反射シート２とフレーム後壁１ａとの間には、連続した通気空間９が形成されている。そして、この光反射シート２とフレーム１の四周の側壁１ｄとの間には、小間隙１０が形成されている。
【００２４】
この光反射シート２の前方には、光源として、コ字形に曲げられた複数本（この実施形態では２本）の冷陰極管３が配置されており、それぞれの冷陰極管３はホルダー（不図示）で保持固定されている。これらの冷陰極管３には、コネクタ付きケーブル１１がそれぞれ接続されており、図１に示すように、各ケーブル１１のコネクタがホルダー側壁１ｄの取出口１ｅ（図３を参照）から外部へ取り出されている。
【００２５】
図４に示すように、冷陰極管３の前方には、光拡散板４と光拡散シート５と液晶表示パネル６がこの順で重ねられており、これらの四周縁がフレーム１の前面開口部の受け段部１ｆに嵌め込まれると共に、方形枠状に組み合わせた２つのＬ形のベゼル７，７で脱落しないように固定されている。
【００２６】
上記の液晶表示パネル６には、図３に示すように、ドライバＩＣチップをフレキシブルフィルムに搭載したＣＯＦ（チップオンフィルム）１２を介してプリント配線基板１３が接続されており、このプリント配線基板１３はフレーム１の外側面に固定されている。
【００２７】
以上のような構成の液晶モジュールは、冷陰極管３からの直射光や光反射シート２で反射された反射光が光拡散板４と光拡散シート５によって拡散され、この拡散光が液晶表示パネル６を背後から照らすため、明るくて輝度ムラのない液晶表示を見ることができる。このように冷陰極管３で背後から光を照射すると、冷陰極管３の発熱によって昇温したフレーム１の内部の熱気が上昇し、図４に矢印で示すように、その熱気が光反射シート２とフレーム側壁１ｄとの間に形成された小間隙１０から、光反射シート２とフレーム後壁１ａとの間に形成された通気空間９を通って、フレーム後壁１ａの上端部近傍箇所に形成された放熱換気用の貫通穴１ｃから外部へ放出される一方、冷たい外気がフレーム後壁１ａの下端部近傍箇所に形成された放熱換気用の貫通穴１ｃからフレーム１の内部へ流入して、フレーム１の内部に気流（主に上昇気流）が発生し、フレーム１の内部が効率良く換気されて顕著な放熱効果が発揮されるため、冷陰極管３の昇温に伴う発光効率の低下を充分防止することができる。しかも、この液晶モジュールは、光反射シート２に放熱用の開口部やスリットを形成していないため、光反射効率の低下を防止することもできる。従って、この液晶モジュールは、発光効率や光反射効率の低下に起因する液晶表示パネル６の輝度（明るさ）の低下を確実に防止することができる。また、この液晶モジュールは、大面積の放熱板などの他の部品を追加するものではないから、部品点数や組立工数の増加がなく、製造面及び経済面で有利である。
【００２８】
フレーム後壁１ａに形成される上記凸部１ｂは、光反射シート２とフレーム後壁１ａとの間に通気空間９が形成されるように光反射シート２を支持するスペーサの役目を果たすものであるから、充分な通気空間９を確保するために、凸部１ｂの突出寸法を１〜１５ｍｍ程度、好ましくは２〜１０ｍｍ程度、更に好ましくは４〜６ｍｍ程度に設定するのがよい。凸部１ｂの形状は、その前端面が平坦で光反射シート２を貼着できる形状であれば、この実施形態のような円形に限定されるものではなく、四角形その他の所望の形状とすることができる。
【００２９】
また、この実施形態の液晶モジュールでは、上記凸部１ｂを縦横に配列してフレーム後壁１ａに形成しているが、千鳥状に配列形成してもよい。このように凸部１ｂを縦横又は千鳥状に配列形成すると、光反射シート２を凸部１ｂで均等に支持させて平坦な状態で貼着できるため、光反射シート２にたわみや皺が生じるのを防止できる利点がある。尚、縦横又は千鳥状以外の他の所望の配列パターンで凸部１ｂを形成してもよいことは言うまでもない。
【００３０】
一方、放熱換気用の貫通穴１ｃは、この実施形態の液晶モジュールでは、フレーム後壁１ａの上下両端近傍箇所に形成しているが、フレーム後壁１ａの全体にわたって均等に配置して形成してもよいし、フレーム後壁１ａの上部（上半部）にのみ形成してもよい。貫通穴１ｃをフレーム後壁１ａの全体にわたって均等に配置して形成する場合は、換気効率が更に向上するため一層顕著な放熱効果が発揮され、また、貫通穴１ｃをフレーム後壁１ａの上部（上半部）にのみ形成する場合でも、加熱されて上昇する熱気が上部（上半部）の貫通穴１ｃから効率良く放出されて換気されるため、充分な放熱効果が発揮される。尚、放熱換気用の貫通穴１ｃの形状は円形に限定されるものではなく、四角形その他の所望の形状とすることができ、また、貫通穴１ｃの個数や大きさ（開口面積）なども特に限定されるものではない。
【００３１】
図５は本発明の他の実施形態に係る液晶モジュールの断面図である。
【００３２】
この液晶モジュールは、光反射シート２の四周に、フレーム１の四周の側壁１ｄに沿って前方へ折れ曲がる光反射側縁部２ａが一体に形成されており、この光反射側縁部２ａとフレーム１の側壁１ｄとの間に小間隙１０が形成されている。その他の構成は前述の液晶モジュールと同様であるので、図５において同一部材に同一符号を付すに止め、重複する説明を省略する。
【００３３】
光反射側縁部２ａが形成されていない光反射シート２を組み込んだ前述の液晶モジュールの場合は、光反射シート２とフレーム１の側壁１ｄとの間の小間隙１０から光反射シート２の裏側へ照射される光があり、このような光は液晶表示パネル６の背後からの照明に利用されないものであるが、この実施形態の液晶モジュールのように光反射シート２の四周に光反射側縁部２ａが形成されていると、小間隙１０から光反射シート２の裏側へ照射されようとする光を光反射側縁部２ａで反射して、液晶表示パネル６の背後からの照明に有効利用できるため、液晶表示パネル６の明るさ（輝度）の低下を充分防止することができる。
【図面の簡単な説明】
【００３４】
【図１】本発明の一実施形態に係る液晶モジュールの正面図である。
【図２】同液晶モジュールの右側面図である。
【図３】同液晶モジュールの分解斜視図である。
【図４】同液晶モジュールの断面図である。
【図５】本発明の他の実施形態に係る液晶モジュールの断面図である。
【符号の説明】
【００３５】
１    フレーム
１ａ  フレームの後壁
１ｂ  凸部
１ｃ  放熱換気用の貫通穴
１ｄ  フレームの側壁
２    光反射シート
２ａ  光反射側縁部
３    冷陰極管（光源）
４    光拡散板
５    光拡散シート
６    液晶表示パネル
７    ベゼル
８    電磁波シールド板
９    通気空間
１０  小間隙
【図１】
2008209551.tif 000003
【図２】
2008209551.tif 000004
【図３】
2008209551.tif 000005
【図４】
2008209551.tif 000006
【図５】
2008209551.tif 000007